(57)【要約】【課題】  フィルターに付着していたほこりがメンテナンス時に脱臭ダクトの内部に落下するのを防止することのできるフィルター装置を提供すること。【解決手段】  脱臭ダクトを横切る方向に出し入れ自在とされた、便器の脱臭装置に設けられるフィルター装置１であって、起立壁部と水平な底面部とを備え、底面部の前端部に山型の突出部８が設けられた本体２に、メッシュ部３を備えたフィルター４が後方に倒れ込むように傾斜して配設され、フィルターの下端部と本体に設けられた突出部の後端部との間で凹状のほこり受けが形成されている。【選択図】図１
2006265967.tif 000002
【特許請求の範囲】
【請求項１】
脱臭ダクトを横切る方向に出し入れ自在とされた、便器の脱臭装置に設けられるフィルター装置であって、起立壁部と水平な底面部とを備え、底面部の前端部に山型の突出部が設けられた本体に、メッシュ部を備えたフィルターが後方に倒れ込むように傾斜して配設され、フィルターの下端部と本体に設けられた突出部の後端部との間で凹状のほこり受けが形成されていることを特徴とするフィルター装置。
【請求項２】
フィルターが本体に差込み式で取り付けられる請求項１記載のフィルター装置。
【発明の詳細な説明】
【技術分野】
【０００１】
本願発明は、便器の脱臭装置に設けられるフィルター装置に関するものである。
【背景技術】
【０００２】
排便にともなう汚臭を消臭するために脱臭装置が便器に取り付けられている（たとえば、特許文献１参照）。
【０００３】
特許文献１に記載された脱臭装置では、便器に付設された脱臭装置本体に空気吸い込み用の開口部が形成され、この開口部を覆う集塵フィルターが設けられた吸い込みプレートが、脱臭装置本体に着脱自在に取り付けられている。
【特許文献１】特開２００３−２７８２２３号公報
【発明の開示】
【発明が解決しようとする課題】
【０００４】
しかしながら、上記特許文献１に記載された脱臭装置では、集塵フィルターが脱臭ダクトに対し垂直に配置されているため、メンテナンスの際に集塵フィルターを取り出すとき、付着していたほこりが脱臭ダクトの内部に落ちてしまう可能性がある。
【０００５】
本願発明は、このような事情に鑑みてなされたものであり、フィルターに付着していたほこりがメンテナンス時に脱臭ダクトの内部に落下するのを防止することのできるフィルター装置を提供することを課題としている。
【課題を解決するための手段】
【０００６】
本願発明は、上記の課題を解決するために、第１には、脱臭ダクトを横切る方向に出し入れ自在とされた、便器の脱臭装置に設けられるフィルター装置であって、起立壁部と水平な底面部とを備え、底面部の前端部に山型の突出部が設けられた本体に、メッシュ部を備えたフィルターが後方に倒れ込むように傾斜して配設され、フィルターの下端部と本体に設けられた突出部の後端部との間で凹状のほこり受けが形成されていることを特徴としている。
【０００７】
本願発明は、第２には、フィルターが本体に差込み式で取り付けられることを特徴としている。
【発明の効果】
【０００８】
本願の第１の発明によれば、フィルターのメッシュ部により捕集されたほこりの受けが形成され、そのスペースが十分確保されているため、メンテナンスの際にフィルター装置を引き出すとき、メッシュ部から離れるほこりを受け止めることができ、ほこりが脱臭ダクトの内部に落下するのを防止することができる。また、フィルターが斜め後方に傾いて配置されるため、フィルター装置を取り出す際に起こるおそれのあるメッシュ部からのほこりの離脱を未然に防止することもできる。
【０００９】
本願の第２の発明によれば、フィルターの本体への取付けおよび取外しが容易となる。
【発明を実施するための最良の形態】
【００１０】
図１は、本願発明のフィルター装置の一実施形態を示した斜視図である。図２は、図１に示したフィルター装置の断面図である。図３、図４は、それぞれ、図１および図２に示したフィルター装置の脱臭ダクトへの取付状態を示した要部平面図、要部断面図である。
【００１１】
図１および図２に示したように、フィルター装置１は、本体２と、本体２に着脱自在に取り付けられる、メッシュ部３を備えたフィルター４とを備えている。本体２は、後部に起立壁部５を備え、水平な底面部６を備えている。起立壁部５、底面部６の少なくともいずれか一方には通気孔が形成される。これらの起立壁部５および底面部６は互いに連結されている。図２に示したように、起立壁部５の下端と底面部６の後端が接続されており、接続部は面取りされている。また、起立壁部５と底面部６とは、図１に示したように、左右の側壁部７によっても連結されている。このような起立壁部５と底面部６との連結および側壁部７の連結により本体２は一定の剛性を有している。
【００１２】
また、本体２は、山型形状を有する突出部８を備えてもいる。突出部８は、上方に突出し、底面部６の前端部に配設されている。
【００１３】
フィルター４は以上の本体２に取り付けられている。フィルター４の上端は本体２の起立壁部５側に配置され、下端は、本体２の底面部６に設けられた突出部８の後端部側に配置され、フィルター４は後方に倒れこむように傾斜して本体２に取り付けられている。フィルター４は本体２に対して着脱自在とされている。たとえば、本体２の後端上部および突出部８の後端部の底面部６付近に溝部を設け、フィルター４の上下端部の溝部への差込みにより、フィルター４が取り付けられ、溝部から上下端部を抜き外すことによりフィルター４を本体２から取り外せるようにすることができる。具体的には、フィルター４をその上端部を溝部に差し込んだ後、撓ませて下端部を溝部に挿入することにより取り付けたり、フィルター４の縦幅を本体２に設けた溝部間の長さよりも若干短めに設定し、上端部を溝部に差し込んだ後にフィルター４を斜め下方に引き下げて下端部を溝部に挿入して取り付けたりすることができる。このような差込み式の取付けにより、フィルター４の本体２への取付けが容易となる。フィルター４を取り外す際には、上記と逆の操作を行えばよく、フィルター４の本体２からの取外しも容易となる。
【００１４】
フィルター４は、上記の通り、後方に傾斜しているので、フィルター装置１では、フィルター４の下端部と本体２に設けられた突出部８の後端部との間に凹部９が形成されている。この凹部９は、後述するように、ほこり受けとして機能する。
【００１５】
以上のフィルター装置１は、図３に示したように、便器または温水洗浄装置に設けられた脱臭ダクト１０の内部に配置されるものであり、脱臭ダクト１０を横切る方向に出し入れ自在とされている。フィルター装置１を脱臭ダクト１０内に装着し、脱臭ダクト１０の後端部に配置された脱臭ダクト１０の内部に連通するファン１１を作動させると、便器のボウル１２内の空気が、図４にも示したように、脱臭ダクト１０内に取り込まれる。脱臭ダクト１０内に取り込まれた空気は、まず、フィルター装置１を通過し、このとき、空気中に含まれるほこりがフィルター４のメッシュ部３により捕捉される。次いで、空気は、脱臭ダクト１０内に設けられたハニカム状の脱臭材１３を通過し、その際に、悪臭成分が除去され、浄化される。そして、浄化された空気がファン１１から外部に排出される。
【００１６】
このような脱臭時に、フィルター装置１は空気中に含まれるほこりを捕集するため、フィルター４のメッシュ部３にはほこりが蓄積されていく。目詰まりが起こると、通風量が減り、脱臭効率が低下するので、メッシュ部３で捕捉され、蓄積したほこりを一定の段階で除去するメンテナンスを行う必要がある。その際には、フィルター装置１を脱臭ダクト１０から引き出し、メッシュ部３の清掃を行うが、ほこりは軽いものであるため、フィルター装置１を引き出すときにフィルター４に加わる振動やフィルター装置１の移動にともなってメッシュ部３から離れることがある。だが、フィルター装置１では、フィルター４の下端部と本体２に設けられた突出部８の後端部との間に形成された凹部９で、図２に示したように、そのように離れるほこり１４を受けることができ、フィルター装置１を脱臭ダクト１０から引き出してもほこり１４が脱臭ダクト１０内に落下することはない。このように、フィルター装置１では、フィルター４のメッシュ部３により捕集されたほこりの受けが形成され、しかもそのスペースは十分確保されているため、メンテナンスの際にフィルター装置１を引き出すとき、メッシュ部３から離れるほこり１４を受け止めることができ、ほこり１４が脱臭ダクト１０の内部に落下するのを防止することができる。ほこり１４が脱臭ダクト１０内に落下してしまうと、脱臭時に落下したほこり１４が再度フィルター４に捕集されるため、清掃の手間が増えるとともに、目詰まりの回数が多くなり、その分、脱臭効率が落ちたり、ファン１１にかかる負荷が増加し、エネルギーロスにつながったりするという問題があるが、フィルター装置１は、上記の通り、ほこり１４の脱臭ダクト１０への落下を防止することができるため、そのような問題も生じない。
【００１７】
また、フィルター装置１では、フィルター４が斜めに後方に傾いて配置されているため、フィルター装置１を取り出す際に起こるおそれのあるメッシュ部３からのほこりの離脱を未然に防止することもできる。
【００１８】
なお、本願発明は以上の実施形態によって制限されることはない。本体やフィルターの材質、構造、メッシュ部の目の大きさをはじめ、脱臭装置の構成等については様々な態様が可能である。
【図面の簡単な説明】
【００１９】
【図１】本願発明のフィルター装置の一実施形態を示した斜視図である。
【図２】図１に示したフィルター装置の断面図である。
【図３】図１に示したフィルター装置の脱臭ダクトへの取付状態を示した要部平面図である。
【図４】図１に示したフィルター装置の脱臭ダクトへの取付状態を示した要部断面図である。
【符号の説明】
【００２０】
１    フィルター装置
２    本体
３    メッシュ部
４    フィルター
５    起立壁部
６    底面部
７    側壁部
８    突出部
９    凹部
１０    脱臭ダクト
１１    ファン
１２    ボウル
１３    脱臭材
１４    ほこり
【図１】
2006265967.tif 000003
【図２】
2006265967.tif 000004
【図３】
2006265967.tif 000005
【図４】
2006265967.tif 000006